(57)【要約】    【課題】卓上非接触型イメージ読取装置と勘定系制御端末装置は１対１で接続されており、コストパフォーマンスが悪い。    【解決手段】非接触型イメージ読取装置１００は、大きくはスキャナ部１０４とスキャナの制御装置１０１で構成される。スキャナ部１０４は二人の操作員が共用できるように、帳票１０６を左右両側から載置できる長方形状の原稿台１０７と、原稿台１０７の一側端の両端部に設けられた２個の起動ボタン１０５Ａ，１０５Ｂと、起動ボタン１０５Ａ，１０５Ｂが設けられた一側端とは反対側に取り付けられたスタンド１０８と、スタンド１０８の上部に支持されたスキャナ１０９とで構成されている。制御装置１０１は、イメージ読取指示を受信しスキャナ部１０４の動作を制御する制御部１０２と、制御情報を保持し、スキャナ部１０４が帳票１０６から読み取ったイメージ・データを一時格納する記憶部１０３とで構成されている。【代表図】図１【特許請求の範囲】
【請求項１】
左右両側から帳票を載置できる原稿台と、該原稿台の前記帳票を載置する方向の側とは別な側に取り付けられたスタンドの上部に支持されたスキャナと、前記原稿台の前記スタンドが取り付けられた側と反対側に設けられた少なくとも２個の起動ボタンであって押下されることにより固有のボタン番号を出力する起動ボタンと、前記ボタン番号を受信し前記スキャナを制御する制御装置とを有することを特徴とする非接触型イメージ読取装置。
【請求項２】
左右両側から帳票を載置できる原稿台と、該原稿台の前記帳票を載置する方向の側とは別な側に取り付けられたスタンドの上部に支持されたスキャナと、前記原稿台の前記スタンドが取り付けられた側と反対側に設けられた少なくとも２個の起動ボタンであって押下されることにより前記スキャナが読み取ったイメージ・データを送信すべき上位端末を特定する信号を出力する起動ボタンとを有することを特徴とする非接触型イメージ読取装置。
【請求項３】
左右両側から帳票を載置できる原稿台と、該原稿台の前記帳票を載置する方向の側とは別な側に取り付けられたスタンドの上部に支持されたスキャナと、前記原稿台の前記スタンドが取り付けられた側と反対側に設けられた少なくとも２個の起動ボタンであって押下されることにより固有のボタン番号を出力する起動ボタンと、前記ボタン番号と少なくとも２個の上位端末のアドレスとの対応表及び前記上位端末の端末番号とアドレスの対応表及び前記スキャナが読み取ったイメージ・データを格納する記憶部を有する制御装置とを有することを特徴とする非接触型イメージ読取装置。
【請求項４】
前記記憶部は、前記スキャナが起動中なのかあるいは起動待ち状態なのかを示すフラグをセットするテーブルを有することを特徴とする請求項３記載の非接触型イメージ読取装置。
【請求項５】
前記原稿台は長方形状であり、前記起動ボタンは前記原稿台の両端部に２個配置されていることを特徴とする請求項１乃至４のいずれかに記載の非接触型イメージ読取装置。
【請求項６】
少なくとも２個の上位端末と、
左右両側から帳票を載置できる原稿台と、該原稿台の前記帳票を載置する方向の側とは別な側に取り付けられたスタンドの上部に支持されたスキャナと、前記原稿台の前記スタンドが取り付けられた側と反対側に設けられた少なくとも２個の起動ボタンであって押下されることにより固有のボタン番号を出力する起動ボタンと、前記ボタン番号と前記少なくとも２個の上位端末のアドレスとの第１の対応表及び前記上位端末の端末番号とアドレスの第２の対応表及び前記スキャナが起動中なのかあるいは起動待ち状態なのかを示すフラグをセットするテーブル及び前記スキャナが読み取ったイメージ・データを格納する記憶部を有する制御装置とを有する非接触型イメージ読取装置と、をネットワークで接続したイメージ読取システムであって、
前記制御装置はイメージ読取指示を受信した場合、該イメージ読取指示に含まれる端末番号あるいはボタン番号から当該イメージ読取指示が前記上位端末からなのか前記非接触型イメージ読取装置の起動ボタンによるものかを判定し、起動ボタンによる場合は前記第１の対応表を参照してイメージ・データを送信すべき上位端末を特定し、前記イメージ読取指示が前記上位端末のいずれかからの場合は前記第２の対応表を参照してイメージ・データを送信すべき上位端末を特定することを特徴とするイメージ読取システム。
【請求項７】
前記制御装置は、前記イメージ読取指示が前記非接触型イメージ読取装置の起動ボタンによるものと判定した場合、前記イメージ読取指示に含まれるボタン番号を記憶し、前記スキャナに帳票の読み取りを指示し、該スキャナが読み取ったイメージ・データを前記記憶部に格納し、前記テーブルを参照して前記スキャナが起動待ち状態かどうかを確認し、起動待ち状態の場合は前記テーブルに起動中を示すフラグをセットし、前記第１の対応表を参照して前記ボタン番号からイメージ・データを送信すべき上位端末のアドレスを取得し、取得したアドレスに前記記憶部に格納したイメージ・データを送信することを特徴とする請求項６記載のイメージ読取システム。
【請求項８】
前記制御装置は、前記イメージ読取指示が前記上位端末からのものと判定した場合、前記イメージ読取指示に含まれる端末番号を記憶し、前記テーブルを参照して前記スキャナが起動待ち状態かどうかを確認し、起動待ち状態の場合は前記テーブルに起動中を示すフラグをセットし、前記スキャナに帳票の読み取りを指示し、該スキャナが読み取ったイメージ・データを前記記憶部に格納し、前記第２の対応表を参照して前記端末番号からイメージ・データを送信すべき上位端末のアドレスを取得し、取得したアドレスに前記記憶部に格納したイメージ・データを送信することを特徴とする請求項６記載のイメージ読取システム。
【請求項９】
前記ネットワークはローカル・エリア・ネットワーク（ＬＡＮ）であり、前記アドレスはインターネット・プロトコル・アドレス（ＩＰアドレス）であることを特徴とする請求項６乃至８のいずれかに記載のイメージ読取システム。
【請求項１０】
少なくとも２個の上位端末と、
左右両側から帳票を載置できる原稿台と、該原稿台の前記帳票を載置する方向の側とは別な側に取り付けられたスタンドの上部に支持されたスキャナと、前記原稿台の前記スタンドが取り付けられた側と反対側に設けられた少なくとも２個の起動ボタンであって押下されることにより前記スキャナが読み取ったイメージ・データを送信すべき上位端末を特定する信号を出力する起動ボタンとを有する非接触型イメージ読取装置と、を回線スイッチを介してネットワークに接続したイメージ読取システムであって、
前記回線スイッチは、前記上位端末のいずれかから前記非接触型イメージ読取装置に起動がかかった場合、起動をかけた上位端末と前記非接触型イメージ読取装置を接続し、
前記回線スイッチは、前記起動ボタンのいずれかから起動がかかった場合、該起動ボタンの出力で特定される前記上位端末と前記非接触型イメージ読取装置を接続することを特徴とするイメージ読取システム。
【発明の詳細な説明】
【技術分野】
【０００１】
本発明は複数の上位端末から共用できる非接触型イメージ読取装置に関し、さらに、１台の非接触型イメージ読取装置を複数の上位装置で共用して帳票を読み取るシステムに関する。
【背景技術】
【０００２】
非接触型イメージ・スキャナは、特許文献１に記載されているように、読み取りの対称となる帳票を載置するためのマット部と、帳票を光学的に読み取るスキャナ部を備えている。従来、銀行等に企業や自治体等から持込まれる給与振込用紙等の為替帳票（非制定帳票）や銀行等が指定する帳票（制定帳票）をイメージ処理するためには、帳票を読み取るイメージ・スキャナ、例えば卓上非接触型イメージ・スキャナを用いてイメージ読み込みを行うが、勘定系制御端末装置とイメージ・スキャナはＰＣＩ接続やＵＳＢ接続等を利用しており、特許文献２に記載されているように１対１接続を前提としているため、銀行等での運用は勘定系制御端末装置１台に対し１台の卓上イメージ・スキャナを接続して使用している。
【０００３】
【特許文献１】特開２００２−３４４７３９号公報
【特許文献２】特開２００１−２２５９９１号公報
【発明の開示】
【発明が解決しようとする課題】
【０００４】
従来のように勘定系制御端末装置１台に対し１台の卓上イメージ・スキャナを使用する運用では、勘定系制御装置端末の台数分だけイメージ・スキャナが必要であり、コストパフォーマンスの悪いものであった。
【０００５】
本発明の目的は、複数の上位端末が共用できる非接触型イメージ読取装置を提供することである。
【０００６】
本発明の他の目的は、ネットワークを介して複数の上位端末が１台の非接触型イメージ読取装置を共用するイメージ読取システムを提供することである。
【課題を解決するための手段】
【０００７】
上記目的を達成するために、本発明の非接触型イメージ読取装置においては、左右両側から帳票を載置できる原稿台と、該原稿台の前記帳票を載置する方向の側とは別な側に取り付けられたスタンドの上部に支持されたスキャナと、前記原稿台の前記スタンドが取り付けられた側と反対側に設けられた少なくとも２個の起動ボタンであって押下されることにより固有のボタン番号を出力する起動ボタンと、前記ボタン番号を受信し前記スキャナを制御する制御装置とを有することを特徴とする。
【０００８】
上記目的を達成するために、本発明の非接触型イメージ読取装置においては、左右両側から帳票を載置できる原稿台と、該原稿台の前記帳票を載置する方向の側とは別な側に取り付けられたスタンドの上部に支持されたスキャナと、前記原稿台の前記スタンドが取り付けられた側と反対側に設けられた少なくとも２個の起動ボタンであって押下されることにより前記スキャナが読み取ったイメージ・データを送信すべき上位端末を特定する信号を出力する起動ボタンとを有することを特徴とする。
【０００９】
上記目的を達成するために、本発明の非接触型イメージ読取装置においては、左右両側から帳票を載置できる原稿台と、該原稿台の前記帳票を載置する方向の側とは別な側に取り付けられたスタンドの上部に支持されたスキャナと、前記原稿台の前記スタンドが取り付けられた側と反対側に設けられた少なくとも２個の起動ボタンであって押下されることにより固有のボタン番号を出力する起動ボタンと、前記ボタン番号と少なくとも２個の上位端末のアドレスとの対応表及び前記上位端末の端末番号とアドレスの対応表及び前記スキャナが読み取ったイメージ・データを格納する記憶部を有する制御装置とを有することを特徴とする。
【００１０】
前記記憶部は、前記スキャナが起動中なのかあるいは起動待ち状態なのかを示すフラグをセットするテーブルを有する。
【００１１】
前記原稿台は長方形状であり、前記起動ボタンは前記原稿台の両端部に２個配置されている。
【００１２】
上記他の目的を達成するために、本発明のイメージ読取システムにおいては、
少なくとも２個の上位端末と、
左右両側から帳票を載置できる原稿台と、該原稿台の前記帳票を載置する方向の側とは別な側に取り付けられたスタンドの上部に支持されたスキャナと、前記原稿台の前記スタンドが取り付けられた側と反対側に設けられた少なくとも２個の起動ボタンであって押下されることにより固有のボタン番号を出力する起動ボタンと、前記ボタン番号と前記少なくとも２個の上位端末のアドレスとの第１の対応表及び前記上位端末の端末番号とアドレスの第２の対応表及び前記スキャナが起動中なのかあるいは起動待ち状態なのかを示すフラグをセットするテーブル及び前記スキャナが読み取ったイメージ・データを格納する記憶部を有する制御装置とを有する非接触型イメージ読取装置と、をネットワークで接続し、
前記制御装置はイメージ読取指示を受信した場合、該イメージ読取指示に含まれる端末番号あるいはボタン番号から当該イメージ読取指示が前記上位端末からなのか前記非接触型イメージ読取装置の起動ボタンによるものかを判定し、起動ボタンによる場合は前記第１の対応表を参照してイメージ・データを送信すべき上位端末を特定し、前記イメージ読取指示が前記上位端末のいずれかからの場合は前記第２の対応表を参照してイメージ・データを送信すべき上位端末を特定することを特徴とする。
【００１３】
前記制御装置は、前記イメージ読取指示が前記非接触型イメージ読取装置の起動ボタンによるものと判定した場合、前記イメージ読取指示に含まれるボタン番号を記憶し、前記スキャナに帳票の読み取りを指示し、該スキャナが読み取ったイメージ・データを前記記憶部に格納し、前記テーブルを参照して前記スキャナが起動待ち状態かどうかを確認し、起動待ち状態の場合は前記テーブルに起動中を示すフラグをセットし、前記第１の対応表を参照して前記ボタン番号からイメージ・データを送信すべき上位端末のアドレスを取得し、取得したアドレスに前記記憶部に格納したイメージ・データを送信する。
【００１４】
前記制御装置は、前記イメージ読取指示が前記上位端末からのものと判定した場合、前記イメージ読取指示に含まれる端末番号を記憶し、前記テーブルを参照して前記スキャナが起動待ち状態かどうかを確認し、起動待ち状態の場合は前記テーブルに起動中を示すフラグをセットし、前記スキャナに帳票の読み取りを指示し、該スキャナが読み取ったイメージ・データを前記記憶部に格納し、前記第２の対応表を参照して前記端末番号からイメージ・データを送信すべき上位端末のアドレスを取得し、取得したアドレスに前記記憶部に格納したイメージ・データを送信する。
【００１５】
前記ネットワークはＬＡＮであり、前記アドレスはＩＰアドレスである。
【００１６】
上記他の目的を達成するために、本発明のイメージ読取システムにおいては、
少なくとも２個の上位端末と、
左右両側から帳票を載置できる原稿台と、該原稿台の前記帳票を載置する方向の側とは別な側に取り付けられたスタンドの上部に支持されたスキャナと、前記原稿台の前記スタンドが取り付けられた側と反対側に設けられた少なくとも２個の起動ボタンであって押下されることにより前記スキャナが読み取ったイメージ・データを送信すべき上位端末を特定する信号を出力する起動ボタンとを有する非接触型イメージ読取装置と、を回線スイッチを介してネットワークに接続し、
前記回線スイッチは、前記上位端末のいずれかから前記非接触型イメージ読取装置に起動がかかった場合、起動をかけた上位端末と前記非接触型イメージ読取装置を接続し、
前記回線スイッチは、前記起動ボタンのいずれかから起動がかかった場合、該起動ボタンの出力で特定される前記上位端末と前記非接触型イメージ読取装置を接続することを特徴とする。
【発明の効果】
【００１７】
本発明によれば、複数の上位端末が共用できる非接触型イメージ読取装置を提供することができる。また、ネットワークを介して複数の上位端末が１台の非接触型イメージ読取装置を共用することができるので、コスト・パフォーマンスが向上する。
【発明を実施するための最良の形態】
【００１８】
以下、本発明の実施例を、図面により詳細に説明する。図１は第１の実施例を示す図で、銀行等の金融機関やその他非接触型イメージ読取装置を使用する形態において、複数の営業店端末（以下上位端末）から１台の左右設置兼用卓上非接触型イメージ読取装置（以下非接触型イメージ読取装置）を共用するシステムを示す図である。
【００１９】
非接触型イメージ読取装置１００は、大きくはスキャナ部１０４とスキャナの制御装置１０１で構成される。スキャナ部１０４は二人の操作員が共用できるように、帳票１０６を左右両側から載置できる長方形状の原稿台１０７と、原稿台１０７の一側端の両端部に設けられた２個の起動ボタン１０５Ａ，１０５Ｂと、起動ボタン１０５Ａ，１０５Ｂが設けられた一側端とは反対側に取り付けられたスタンド１０８と、スタンド１０８の上部に支持されたスキャナ１０９とで構成されている。スキャナの制御装置１０１は、イメージ読取指示を受信しスキャナ部１０４の動作を制御する制御部１０２と、制御情報を保持しスキャナ部１０４が帳票１０６から読み取った画像データ（イメージ・データ）を一時格納する記憶部１０３とで構成されている。
【００２０】
非接触型イメージ読取装置１００は、制御装置１０１を介してローカル・エリア・ネットワーク（ＬＡＮ）に接続され、ＬＡＮには、２台（複数台）の営業店端末（上位端末）１１１Ａ，１１１Ｂが接続され、２台の営業店端末（上位端末）１１１Ａ，１１１Ｂが非接触型イメージ読取装置１００を共用できるようになっている。
【００２１】
営業店端末（上位端末）１１１Ａはプロセッサからなる制御部１１４Ａと、記憶部１１５Ａと、制御部１１４Ａに起動要求するための入力装置（マウス等）１１２Ａと、ディスプレイ１１３Ａとで構成される勘定系制御端末である。営業店端末（上位端末）１１１Ｂも営業店端末（上位端末）１１１Ａと同じ構成である。
【００２２】
図２、図３のフローチャートを用いて、非接触型イメージ読取装置１００の運用例の手順であるスキャナ部１０４側から起動ボタン１０５Ａもしくは１０５Ｂで起動する例を説明する。銀行等の金融機関における営業店の勘定系制御端末（上位端末）１１１Ａ，１１１ＢにＬＡＮ等で接続されている非接触型イメージ読取装置１００の制御装置１０１がイメージ読込指示を受信した場合（ステップ２０１）、そのイメージ読込指示が上位端末１１１Ａもしくは１１１Ｂからのものであるのか、スキャナ部１０４側から起動ボタン１０５Ａもしくは１０５Ｂの押下で起動がかけられたものであるのかを判定する（ステップ２０２）。スキャナ部１０４側から起動ボタンで起動がかけられた場合は、図３のフローチャートに進む。
【００２３】
スキャナの制御装置１０１の制御部１０２はイメージ読込指示に含まれるボタン番号を記憶し（ステップ３０１）、スキャナ１０９に帳票１０６の読み取りを指示し、読み取ったイメージ・データを記憶部１０３へ一時保存する（ステップ３０２）。イメージ・データを一時保存した後、制御部１０２は記憶部１０３へイメージ読取中の有無を確認する（ステップ３０３）。具体的には、制御部１０２が記憶部１０３が保持している占有中フラグを参照し、スキャナ起動待ち状態かスキャナ起動中状態かを確認する。（図５のテーブル参照。）
占有中のフラグがあった場合（ＦＬＡＧ＝１の場合）、記憶部１０３が保持している図６のボタン番号と起動上位端末のＩＰアドレス（インターネット・プロトコル・アドレス）テーブル（第１の対応表）を参照し、読込指示をかけてきた上位端末に占有中の上位端末有りを返却する（ステップ３１１）。占有中フラグが無かった場合（ＦＬＡＧ＝０の場合）、記憶部１０３が保持する図５のフラグと状態テーブルのＦＬＡＧにＦＬＡＧ＝１をセットし、スキャナ部１０４を占有中状態とする（ステップ３０４）。このスキャナ部１０４の占有処理により、他の上位端末１１１Ａもしくは１１１Ｂやスキャナ部１０４の起動ボタン１０５Ａもしくは１０５Ｂからスキャナ部１０４を起動できないように排他処理を行うことにより、イメージ取得処理中の二重読込みを防ぎ、また他の上位端末や起動ボタンの誤操作等を防ぐ。
【００２４】
占有中フラグを立てた後、イメージ読込指示電文に含まれるボタン番号から図６のボタン番号と起動上位端末のＩＰアドレス・テーブルを使用し、イメージ・データを送信する上位端末のＩＰアドレスを取得し（ステップ３０５）、取得したＩＰアドレスへイメージ・データを送信する（ステップ３０６）。イメージ・データを送信後、上位端末１１１Ａもしくは１１１Ｂはイメージ・データ受付処理を行い（ステップ３０７）、上位端末１１１Ａもしくは１１１Ｂがデータ受信完了処理に失敗した場合、ステップ３０２で制御装置１０１の記憶部１０３に一時保存したイメージ・データを消去し、ステップ３０４でセットしたスキャナ占有フラグをＦＬＡＧ＝０にセットし、スキャナ部１０４を占有無し状態に戻す（スキャナ起動待ち状態に戻す）（ステップ３１２）。
【００２５】
ステップ３０６でイメージ・データを送信後、上位端末１１１Ａもしくは１１１Ｂはイメージ・データ受付処理を行い（ステップ３０７）、この上位端末がデータ受信完了処理に成功した場合、上位端末からイメージ・データ受付完了電文を受付けた後、制御装置１０１の制御部１０２に記憶している端末番号を消去し（ステップ３０９）、ステップ３０４でセットしたスキャナ占有フラグをＦＬＡＧ＝０にセットし（ステップ３０８）、スキャナ部１０４を占有無し状態（スキャナ起動待ち状態）に戻すと同時に、ステップ３０２で制御装置１０１の記憶部１０３に一時保存したイメージ・データを消去する。
【００２６】
次に図２のステップ２０２において、イメージ読込指示が上位端末１１１Ａあるいは１１１Ｂ側から発信されたものと判定された場合の処理手順について図４を用いて説明する。ステップ２０２の判定結果が上位端末１１１Ａもしくは１１１Ｂ側からの場合、制御装置１０１の制御部１０２は上位端末からのイメージ読込指示に含まれる端末番号を記憶し（ステップ４０１）、制御装置１０１の制御部１０２は記憶部１０３へイメージ読取中の有無を確認する（ステップ４０２）。具体的には、記憶部１０３が保持している占有中フラグを参照し、スキャナ起動待ち状態かスキャナ起動中状態かを確認する。（図５のテーブル参照。）
占有中のフラグがあった場合（ＦＬＡＧ＝１の場合）、記憶部１０３が保持している図７の端末番号と起動上位端末のＩＰアドレス・テーブル（第２の対応表）を参照し、読込指示をかけてきた上位端末に占有中の上位端末有りを返却する（ステップ４２１）。占有中フラグが無かった場合（ＦＬＡＧ＝０の場合）、図５のフラグと状態テーブルのＦＬＡＧにＦＬＡＧ＝１をセットし、スキャナ部１０４を占有中状態とする（ステップ４０３）。このスキャナ部１０４の占有処理により、他の上位端末１１１Ａもしくは１１１Ｂやスキャナ部１０４の起動ボタン１０５Ａもしくは１０５Ｂからスキャナ１０９を起動できないように排他処理を行うことにより、イメージ取得処理中の二重読込みを防ぎ、また他の上位端末やボタンのご操作等を防ぐ。
【００２７】
占有中フラグを立てた後、制御装置１０１はスキャナ部１０４の接続確認を行い（ステップ４０４）、接続されていない、もしくは接続不良があった場合、上位端末１１１Ａもしくは１１１Ｂにスキャナ応答無しを返却し、ステップ４０３でセットしたスキャナ占有フラグをＦＬＡＧ＝０にセットし、スキャナ部１０４を占有無し状態（スキャナ起動待ち状態）に戻し（ステップ４２２）、終了する。
【００２８】
スキャナ部１０４の接続が確認され、スキャナ部１０４の応答があった場合、制御装置１０１はイメージ取得処理を行い（ステップ４０５）、イメージが取得されなかった場合、上位端末１１１Ａもしくは１１１Ｂにイメージ取得不可を返却し、ステップ４０３でセットしたスキャナ占有フラグをＦＬＡＧ＝０にセットし、イメージ読取スキャナを占有無し状態（スキャナ起動待ち状態）に戻し（ステップ４２３）、終了する。
【００２９】
ステップ４０５においてイメージ取得に成功した場合、制御装置１０１は記憶部１０３へ読み取ったイメージ・データを一時保存し（ステップ４０６）し、イメージ読込指示電文に含まれる端末番号から図７の端末番号と起動上位端末のＩＰアドレス・テーブルを使用し、イメージ・データを送信する上位端末のＩＰアドレスを取得し（ステップ４０７）し、取得したＩＰアドレスへイメージ・データを送信する（ステップ４０８）。
【００３０】
イメージ・データを送信後、上位端末はイメージ・データ受付処理を行い（ステップ４０９）を行い、上位端末がデータ受信完了処理に失敗した場合、ステップ４０６で記憶部１０３に一時保存したイメージ・データを消去し、ステップ４０３でセットしたスキャナ占有フラグをＦＬＡＧ＝０にセットし、スキャナ部１０４を占有無し状態（スキャナ起動待ち状態）に戻す（ステップ４２４）。
【００３１】
ステップ４０８でイメージ・データを送信後、上位端末１１１Ａもしくは１１１Ｂはイメージ・データ受付処理を行い（ステップ４０９）、上位端末がデータ受信完了処理に成功した場合、上位端末からイメージ・データ受付完了電文を受付けた後、記憶部１０３に記憶している端末番号を消去し（ステップ４１１）し、ステップ４０３でセットしたスキャナ占有フラグをＦＬＡＧ＝０にセットし（ステップ４１０）、スキャナ部１０４を占有無し状態（スキャナ起動待ち状態）に戻すと同時に、ステップ４０７で記憶部１０３に一時保存したイメージ画像を消去する（ステップ４１２）。
【００３２】
前記実施例ではＩＰアドレス（ソフトウェア）による回線制御について説明した。この制御方式とは別にハードウェアのスイッチング切り替えで回線の上位端末を切り替えることができる。以下にこの例を第２の実施例として図８を参照して説明する。図８に示されるシステムは、上位装置１２１Ａ及び１２１ＢをＬＡＮに接続し、ＬＡＮに挿入された回線スイッチ１２２を介して非接触型イメージ読取装置１２３を上位装置１２１Ａ及び１２１Ｂに接続する構成である。
【００３３】
上位端末１２１Ａもしくは１２１Ｂから起動がかかった場合、回線スイッチ１２２は起動がかかった上位端末側にスイッチを入れる。それにより非接触型イメージ読取装置１２３のイメージ・スキャナ１２５はイメージ読み取りを行い、回線スイッチに従い、上位端末にイメージ・データを送信する。
【００３４】
図８の非接触型イメージ読取装置１２３の起動ボタン１２４Ａもしくは１２４Ｂから起動がかけられた場合、回線スイッチ１２２は起動がかかった上位端末側にスイッチを入れる。それにより非接触型イメージ読取装置１２３のイメージ・スキャナ１２５はイメージ読み取りを行い、回線スイッチに従い、上位端末にイメージ・データを送信する。
【図面の簡単な説明】
【００３５】
【図１】本発明の一実施例による非接触型イメージ読取装置と、イメージ読取システムの構成図である。
【図２】本発明の一実施例によるイメージ読取システムにおける非接触型イメージ読取装置がイメージ読込指示を受信した際の処理を示すフローチャートである。
【図３】図２のステップ２０２においてイメージ読込指示がスキャナ部側からのものであると判定された場合の処理を示すフローチャートである。
【図４】図２のステップ２０２においてイメージ読込指示が上位端末側からのものであると判定された場合の処理を示すフローチャートである。
【図５】スキャナの制御装置の制御部の起動フラグと状態の関係を示すテーブルである。
【図６】ボタン番号と起動上位端末のＩＰアドレスとの対応を示すテーブルである。
【図７】端末番号と起動上位端末のＩＰアドレスとの対応を示すテーブルである。
【図８】本発明の他の実施例によるイメージ読取システムの構成図である。
【符号の説明】
【００３６】
１００，１２３…左右設置兼卓上非接触型イメージ読取装置（非接触型イメージ読取装置）、
１０１…スキャナの制御装置、
１０２…制御部、
１０３…記憶部、
１０４…スキャナ部、
１０５Ａ，１０５Ｂ，１２４Ａ，１２４Ｂ…起動ボタン、
１０６…帳票、
１０７…原稿台、
１０８…スタンド、
１０９，１２５…スキャナ，
１１１Ａ，１１１Ｂ，１２１Ａ，１２１Ｂ…営業店端末（上位装置）、
１２２…回線スイッチ。
【図１】
2006014139.tif 000002
【図２】
2006014139.tif 000003
【図３】
2006014139.tif 000004
【図４】
2006014139.tif 000005
【図５】
2006014139.tif 000006
【図６】
2006014139.tif 000007
【図７】
2006014139.tif 000008
【図８】
2006014139.tif 000009